(57)【要約】【課題】    戸袋を有する吊引戸用のレールの脱着が容易な取り付け構造を提供する。【解決手段】    戸袋を有する無目のベースフレームに取り付けされるＬ型レールの取り付け穴のうち、戸袋内部に位置する取り付け穴にレールクリップが設けられ、このレールクリップ取り付け位置に相対するベースフレームにこのレールクリップの挿通穴が設けられ、Ｌ型レール底面が取り付け納まりされる位置にレール載置具が設けられ、まずレールクリップを挿通穴に挿通させてレールクリップ前面をベースフレーム裏面に当接させ、レール底面をレール載置具に載置させた後に戸袋の外側でＬ型レールをボルト固定させるように構成した戸袋付吊引戸用レールの取り付け構造【選択図】図１
2008088794.tif 000002
【特許請求の範囲】
【請求項１】
戸袋を有する無目に設けられたベースフレームに取り付けされ吊り引き戸の戸車を懸吊するためのＬ型レールにおいて、このＬ型レール取り付け面に設けられた取り付け穴のうち戸袋内部に位置する取り付け穴のそれぞれにレールクリップが設けられ、このレールクリップ取り付け位置に相対するベースフレームにこのレールクリップを挿通するための挿通穴が設けられ、また戸袋内において上記Ｌ型レール底面が取り付け納まりされる位置のベースフレームに上記Ｌ型レール底面を載置するためのレール載置具が設けられ、このＬ型レールの取り付けは上記レールに設けられたレールクリップを上記挿通穴に挿通させ、上記レールクリップの露出された前面を上記ベースフレーム裏面に当接させ上記Ｌ型レール底面を上記レール載置具に載置させた後、戸袋の外側のＬ型レール取り付け面に設けられた取り付け穴によりボルト固定させるように構成したことを特徴とする戸袋を有する吊り引き戸用Ｌ型レールの取り付け構造
【発明の詳細な説明】
【技術分野】
【０００１】  戸袋を有する吊り引き戸の戸車を載置するＬ型レールの取り付け構造に関する。
【背景技術】
【０００２】  従来吊り引き戸用のＬ型レールは戸袋内外に延びるベースフレームに全長にわたり所定間隔にネジ固定されてなる。このＬ型レールは傷付いたり、磨耗が激しくなると交換の必要がある。ところがここ最近は戸袋を周りの壁と同化させるため分解不可の構造になっていたり、分解可能な構造であっても取り外し、取り付けの作業が極めて困難な場合がある。そのため種々の工夫が為されてきており、例えばＬ型レールを戸袋内用と戸袋外用との２つに分け、戸袋内用レールは保持金具によって着脱可能な構成にしてネジ１本止めし、戸袋外用レールは単にネジ止めするもの（特許文献１参照）や戸袋内外を長尺の１本のレールを用い、戸袋内側ではレール端部を端部固定具で固定し、戸袋外のところでネジ固定するもの（特許文献２参照）などが開示されている。【０００３】
【特許文献１】特開２００５−２１３７３１号公報
【特許文献２】特開２００１−２４１２５７号公報
【発明の開示】
【発明が解決しようとする課題】
【０００４】  しかしながら特許文献１において戸袋外レールに戸先吊車が載り戸袋内レールに戸尻吊車が載る構成では引き戸が戸袋内に入らない引き残し部を多くとらなければならないという不都合があり、また、引き戸を戸袋内に完全に納めるためには戸先、戸尻吊車が共に戸袋内レールに乗らなければならず、そうすれば全開全閉するたび毎に吊車は必ず戸袋内外レールの継ぎ目上を通過するため必ず通過音を発するという不都合がある。また特許文献２は戸袋内部のレールは先端部のみが固定されてなるため幅広の引き戸の場合、補助金具がレールの固定延長線上にあるためレールはその分短くする必要があるため、引き戸の戸尻側の吊車を相当前方向に取り付けなければならずそのため開閉の際のバランスに微妙な影響を与え、またいくら補助金具があってもレール端のみの固定であり、引き戸重量による大きな曲げモーメントは戸袋の中間部辺りの取り付け面が浮いて捩れを生じることがあるという不都合がある。本発明はかかる不都合を解決することを目的として提供されたものである。
【課題を解決するための手段】
【０００５】      本発明はＬ型レールにねじれを生じさせることなくレールに均等に力が加わるような取り付け構造にすることによって掛かる不都合を解決した。すなわち本発明は戸袋を有する無目に設けられたベースフレームに取り付けされ吊り引き戸の戸車を懸吊するためのＬ型レールにおいて、このＬ型レール取り付け面に設けられた取り付け穴のうち戸袋内部に位置する取り付け穴のそれぞれにレールクリップが設けられ、このレールクリップ取り付け位置に相対するベースフレームにこのレールクリップを挿通するための挿通穴が設けられ、また戸袋内において上記Ｌ型レール底面が取り付け納まりされる位置のベースフレームに上記Ｌ型レール底面を載置するためのレール載置具が設けら、このＬ型レールの取り付けは上記レールに設けられたレールクリップを上記挿通穴に挿通させ、上記レールクリップの露出された前面を上記ベースフレーム裏面に当接させ上記Ｌ型レール底面を上記レール載置具に載置させた後、戸袋の外側のＬ型レール取り付け面に設けられた取り付け穴によりボルト固定させるように構成したことを特徴とする戸袋を有する吊り引き戸用Ｌ型レールの取り付け構造である。【０００６】  本発明の挿通穴は既にレールに取り付けされたレールクリップが無理なく挿通出来ることと戸袋の外側のＬ型レール取り付け面をボルト固定させる時、挿通後のそれぞれのレールクリップの露出された前面がベースフレーム裏側に当接出来ていることが必要条件であり、また、レール底面を載置するレール載置具は戸袋内部のレール長さと同じであっても、すべての挿通穴の下部だけに設けられていても、またそれ意外の取り付け位置に設けられていても良く、それらのいずれであってもかまわなく、戸袋外のＬ型レール取り付け面をボルト固定させる時、戸袋内のＬ型レールがレール載置具上に載置されレールクリップによってベースフレームに当接されていれば良い。
【発明の効果】
【０００７】  本発明の取り付け構造は取り付け工事するにあたって、あらかじめ別の場所でベースフレームに戸袋外の取り付けネジ穴、レールクリップ取り付け位置と挿通穴位置など、それぞれの関係位置を位置決めしてセット加工することが出来るし、戸袋外Ｌ型レール取り付けネジ穴や挿通穴も容易にあけることが出来る。また、レール載置具も同様に取り付け位置確認が出来てその取り付けネジ穴も容易にあけることが出来る。しかもＬ型レールを短くする必要もなく、Ｌ型レールにあらかじめ設けられた取り付け穴がそのまま利用出来るため、Ｌ型レールへの加工が一切不要であり、一旦別の場所でセット確認された各部品をベースフレームの設定取り付け場所に取り付けさえすれば戸袋密閉後も容易にＬ型レールの取り付け取外しの交換が可能であり、またＬ型レールに懸吊された引き戸重量もレール取り付け位置に均等に掛かることになる。
【発明を実施するための最良の形態】
【０００８】  発明の実施例１の形態を図に基づいて説明すると図１はレール取り付け後の使用時における正面図であり、図２、図３はそれぞれ図１におけるＡ−Ａ矢視断面、Ｂ−Ｂ矢視断面図、図４の斜視図はベースフレーム加工穴を説明するものであり、図５はベースフレームへのＬ型レールの取り付け説明図で、図６は図５におけるＡ２−Ａ２矢視断面によるレール取り付け要領を説明する図である。【０００９】  まず、無目に取り付けされるベースフレーム３が取り出されて戸車９を有する引き戸１を懸吊するためのＬ型レール４の取り付け位置が決められる。その際に傾斜レールにするか水平レールにするかがまず決定されることになる。ここでは水平レールについて説明すると、まず、あらかじめ略均等距離に取り付け穴が設けられたＬ型レール４のベースフレーム３への取り付け位置が決定されると図４、図５に示すようにベースフレーム３の戸袋２の外側位置にはレール取り付けネジ穴５が設けられ、戸袋２の内側位置にはレールクリップ６の挿通穴７が設けられ、その挿通穴７の下部分にはＬ型レール４が載置されるためのレール載置具８の取り付けネジ穴（図示せず）が設けられる。Ｌ型レール４の取り付け穴のうち戸袋２の内部位置にあたる取り付け穴のそれぞれにはレールクリップ６があらかじめネジ取り付けされてなる。この実施例ではレール載置具８は挿通穴７の下にアングル材をそれぞれに設けたがこのレール載置具８は両端の挿通穴７の下まで連なった１本の長いアングル材であっても構わないし、またこのレール載置具８の取り付け方法はビスであっても溶接であっても良い。【００１０】  これらすべての穴加工・ネジ加工を終えるとベースフレーム３は図４に示すようにあらかじめレール載置具８を装着した状態で無目における設定位置に取り付けされる。ベースフレーム３の取り付けはビス留めあるいは溶接により固定される。次にＬ型レール４の取り付け要領を説明すると取り付け要領は図６の（ａ）〜（ｄ）に示すように戸袋の内側位置にレールクリップ６があらかじめネジ取り付け固定されたＬ型レール４の戸車載置部を横にした状態（ａ）で持ち上げ、レールクリップ６をベースフレーム３に設けられた挿通穴７に挿通させた（ｂ）上、Ｌ型レール４を起こすようにしてレールクリップ６の前面がベースフレーム３の裏側面に当接するまでＬ型レール４を起こし（ｃ）、当接した後はそのままレール載置具８の上に載置し（ｄ）、その次に戸袋２より外側にあるＬ型レール４の取り付け穴にビスを入れ、あらかじめあけられてなるレール取り付けネジ穴５にビス固定すればよい。取り外す場合はこの手順の逆をたどると簡単にＬ型レール４は取り外すことが出来る。【００１１】  次にもう１つの実施例２について説明すると、実施例１が戸袋内部の引き戸１の重量をレールクリップ６により挿通穴７の裏面上部で支えたのに対し、実施例２はレールクリップ６により挿通穴７の裏面横部（側部）で支えるように構成されたものである。ベースフレーム３への取り付け用のビス穴あけやレール載置具８のあらかじめのセッティングは実施例１と同様であるため説明を省略する。図７は実施例２のレールクリップ６を用いてＬ型レール４を装着した時の横断面説明図であり、図８の（���）、（ｆ）はベースフレーム３へＬ型レール４を取り付けする要領の説明図である。【００１２】  ベースフレーム３を無目に取り付けするまでの要領は実施例１と同様のため省略し、その次からのＬ型レール４の取り付け要領を説明すると、図８の（ｅ）〜（ｆ）に示すように実施例２のレールクリップ６をあらかじめネジ取り付け固定した状態でＬ型レール４をそのまま戸袋内部へ入れて持ち上げ、まずＬ型レール４の底面端部の一部をレール載置具８にのせ、レールクリップ６先端で挿通穴７を探るようにして長手方向に少し前後に平行移動させれば簡単に挿通穴７を見つけることが出来る。戸袋内部の複数個設けられたレールクリップ６を同時に挿通穴７に垂直に押し込み、Ｌ型レール４の取り付け面がベースフレーム３へ当接するのを確認した後、今度は長手方向にＬ型レール４を押し込んでやればレールクリップ６の先端がガイドになってレールクリップ６の前面がベースフレーム３の裏面に自動的に当接され、押し込んでストップしたところで戸袋２外部側にあるＬ型レール４の取り付け穴にビスを入れ、あらかじめあけられてなるレール取り付けネジ穴５にビス固定すればよい。取り外す場合はこの手順の逆をたどると簡単にＬ型レール４は取り外すことが出来る。
【図面の簡単な説明】
【００１３】
【図１】レール取り付け後の使用時における正面図
【図２】図１のＡ−Ａ矢視断面図
【図３】図１のＢ−Ｂ矢視断面図
【図４】ベースフレーム加工穴説明図
【図５】ベースフレームへのレール取り付け説明図
【図６】図５のＡ２−Ａ２矢視断面による実施例１のレール取り付け要領説明図
【図７】実施例２のレールクリップ６を用いてＬ型レール４を装着した時の挿通穴部横断面の説明図
【図８】図５のＡ２−Ａ２矢視断面による実施例２のレール取り付け要領説明図
【符号の説明】
１、引き戸
２、戸袋
３、ベースフレーム
４、Ｌ型レール
５、レール取り付けネジ穴
６、レールクリップ
７、挿通穴
８、レール載置具
９、戸車
【図１】
2008088794.tif 000003
【図７】
2008088794.tif 000004
【図２】
2008088794.tif 000005
【図３】
2008088794.tif 000006
【図４】
2008088794.tif 000007
【図５】
2008088794.tif 000008
【図６】
2008088794.tif 000009
【図８】
2008088794.tif 000010